(57)【要約】【課題】便器本体の流入口と洗浄水タンクの流出口との間をシールするパッキンの圧縮代を管理しつつ、意匠性を損なわないタンク装置を提供することを目的とする。【解決手段】便器本体２へ供給する洗浄水Ｗを貯留するタンク本体３１と、タンク本体３１の底部３２に形成された流出口３３と、タンク本体３１の流出口３３と便器本体２の流入口６との間に配設される弾性体のパッキン３４と、を備えており、タンク本体３１は、タンク本体３１の底面の流出口３３の周囲において、タンク本体３１の底面から上方へ向けて凹む凹部３２ａであって、パッキン３４が配設される凹部３２ａを有する。【選択図】図４
2019090193.tif 000002
【特許請求の範囲】
【請求項１】
内部に貯留した洗浄水を便器本体の流入口へ供給することによって便器洗浄を行なうタンク装置において、
洗浄水を貯留するタンク本体と、
上記タンク本体の底部に形成された流出口と、
上記タンク本体の流出口と上記便器本体の流入口との間に配設される弾性体のパッキンと、を備えており、
上記タンク本体は、上記タンク本体の底面の上記流出口の周囲において、上記タンク本体の底面から上方へ向けて凹む凹部であって、上記パッキンが配設される上記凹部を有するタンク装置。
【請求項２】
請求項１に記載のタンク装置と、
上記流入口を有する上記便器本体と、を備えた水洗大便器。
【発明の詳細な説明】
【技術分野】
【０００１】
本発明は、便器に供給する洗浄水を貯留するタンク装置、及びこのタンク装置を備えた水洗大便器に関する。
【背景技術】
【０００２】
従来から、便器本体の後部上面に載置される洗浄水タンクの洗浄水流出口と便器本体の洗浄水流入口との間に弾性体であるパッキンを配設したタンク装置が知られている（例えば、特許文献１参照）。
【０００３】
パッキンは洗浄水タンクの重みによって便器本体との間で圧縮し、これにより便器本体の洗浄水流入口と洗浄水タンクの洗浄水流出口との間をシールして、水密性を発揮する。ただし、パッキンは圧縮されることで水密性を発揮する一方で、圧縮しすぎると破損や寿命低下が生じてしまうことがある。
【０００４】
これを防ぐために、便器本体の上面もしくは洗浄水タンクの底面に突起部を設け、この突起部の高さを適宜変えることでパッキンの圧縮具合を調整する方法が知られている。この方法を採用する場合、パッキンの種類によって硬度が異なるため、パッキンの硬度に応じてこの突起部の突起高さを異ならせることでパッキンの圧縮代を管理し、パッキンの圧縮具合を調整している。
【先行技術文献】
【特許文献】
【０００５】
【特許文献１】特開２０１６−１６９５５２号公報
【発明の概要】
【発明が解決しようとする課題】
【０００６】
近年では、意匠性の向上のために洗浄水タンクのローシルエット化が望まれている。これに対し、上述したように便器本体の上面もしくは洗浄水タンクの底面に突起部を設けると、洗浄水タンクの高さが突起高さ分だけ高くなってしまうため、ローシルエット化の要望に反してしまう。また、突起部を設けることにより洗浄水タンクと便器本体との間の隙間が目立つため、外観上の意匠性が低下してしまうおそれがあった。
【０００７】
本発明は、上述した問題を解決するためになされたものであり、便器本体の流入口と洗浄水タンクの流出口との間をシールするパッキンの圧縮代を管理しつつ、意匠性を損なわないタンク装置を提供することを目的とする。
【課題を解決するための手段】
【０００８】
本発明の一態様に係るタンク装置は、内部に貯留した洗浄水を便器本体の流入口へ供給することによって便器洗浄を行なうタンク装置において、洗浄水を貯留するタンク本体と、上記タンク本体の底部に形成された流出口と、上記タンク本体の流出口と上記便器本体の流入口との間に配設される弾性体のパッキンと、を備えており、上記タンク本体は、上記タンク本体の底面の上記流出口の周囲において、上記タンク本体の底面から上方へ向けて凹む凹部であって、上記パッキンが配設される上記凹部を有する。
【０００９】
この構成によれば、タンク本体と便器本体との間に突起部を設けることなく、便器本体の流入口とタンク本体の流出口との間をシールするパッキンの圧縮代を管理することができる。したがって、タンク本体の高さ位置を高くしたり、タンク本体と便器本体との隙間を大きくしたりしなくてよく、意匠性を損なうことを抑制することができる。
【００１０】
本発明の一態様に係るタンク装置において、好ましくは、このタンク装置と、上記流入口を有する上記便器本体と、を備えた水洗大便器である。
【００１１】
この構成によれば、便器本体の流入口とタンク本体の流出口との間をシールするパッキンの圧縮代を管理しつつ、意匠性を損なうことを抑制した水洗大便器を実現することができる。
【発明の効果】
【００１２】
本発明のタンク装置によれば、便器本体の流入口と洗浄水タンクの流出口との間をシールするパッキンの圧縮代を管理しつつ、意匠性を損なわない。
【図面の簡単な説明】
【００１３】
【図１】本発明の一実施形態によるタンク装置が適用された水洗大便器を示す断面図である。
【図２】本発明の一実施形態によるタンク装置の概略構造を示す正面断面図である。
【図３】本発明の一実施形態によるタンク装置の流出口付近の正面断面拡大図である。
【図４】本発明の一実施形態によるタンク本体の下方斜視図である。
【発明を実施するための形態】
【００１４】
以下、本発明の実施の形態について添付図面を参照しながら説明する。なお、各図面中、同様の構成要素には同一の符号を付して詳細な説明は適宜省略する。
【００１５】
＜水洗大便器の構成＞
まず、図１、２により、本発明の一実施形態によるタンク装置が適用される水洗大便器について説明する。
図１は、本発明の一実施形態によるタンク装置が適用された水洗大便器を示す断面図である。図２は、本発明の一実施形態によるタンク装置の概略構造を示す正面断面図である。
【００１６】
図１、２に示すように、本発明の一実施形態による水洗大便器１は、陶器等からなる便器本体２を有する。また、便器本体２の後方側の上面には、タンク装置３０が設置されている。さらに、タンク装置３０は上水道等の給水源（図示せず）に接続されている。タンク装置３０のタンク本体３１に設けられた操作スイッチ３５を操作することにより洗浄操作を開始すると、タンク装置３０の排水弁装置３７が開き、タンク装置３０から所定の洗浄水量（例えば、６リットル）が便器本体２の中央後方側の上部に開口された流入口６に供給されるようになっている。
【００１７】
また、便器本体２の前方上部には、ボウル部８が形成され、便器本体２の後方上部には、流入口６と後述するリム通水路２０との間に形成され、タンク装置３０から供給された洗浄水を流入口６からボウル部８に導水するリム後方導水路１０が形成されている。
さらに、ボウル部８の下方には、溜水部１２が形成され、初期水位の溜水面がＷ０で示されている所定量の溜水が貯留されている。また、この溜水部１２の下端には、排水トラップ管路１４の入口１４ａが接続されており、排水トラップ管路１４は、その入口１４ａから後方へと延び、その後端１４ｂが床面に設置された排出管（図示せず）に接続されている。
【００１８】
ボウル部８は、ボウル形状に形成されている汚物受け面１６と、その上縁部に形成されて汚物受け面１６に洗浄水を吐水するリム部１８を備えている。このリム部１８は、その上面から下方へ汚物受け面１６近傍まで垂れ下がるように延びてリム部１８の内部（便器本体の中心から見て外側）にリム通水路２０を形成するリム垂下壁部２２を備えている。
また、リム部１８は、リム通水路２０内の洗浄水が外に飛び出さないようにリム垂下壁部２２がオーバーハングした形状を形成しており、リム部１８の周方向に沿って形成されたリム通水路２０の内側且つ下方が全周にわたって開口されてスリット開口部２６を形成している、いわゆる、オープンリムタイプの形態であるオープンリム部となっている。
このリム通水路２０の内側（内部側）における、リム通水路底面２４とリム垂下壁部２２との間において、下方へと開口するスリット形状に形成されたスリット開口部２６が、洗浄水を汚物受け面１６に吐水する吐水部を形成している。
【００１９】
また、ボウル部８には、汚物受け面１６とリム部１８との間にボウル部８のほぼ全周に亘って形成された棚状のリム通水路底面２４が形成されている。リム通水路底面２４は、ボウル部８の上部に環状に形成された平坦面を形成し、この平坦面はボウル部８の外側方向から内側方向においては、ほぼ水平に形成されている。リム通水路底面２４の前方側の高さ位置は後方側の高さ位置よりもわずかに低くなるように形成されている。
このような構成により、リム後方導水路１０から供給された洗浄水が、リム通水路２０においてリム通水路底面２４上を流れながらボウル部８の上部を一周するような流れを形成することができる。すなわち、本実施形態における水洗大便器は、オープンリムタイプの構造によるリム通水路２０において洗浄水が左右片側から時計回り又は反時計回りに周回するような一方向の流れを形成するタイプの水洗大便器である。
【００２０】
＜タンク装置の構成＞
次に、図２〜４により、本発明の一実施形態によるタンク装置について説明する。
図３は、本発明の一実施形態によるタンク装置の流出口付近の正面断面拡大図である。図４は、本発明の一実施形態によるタンク本体の下方斜視図である。
【００２１】
図２〜４に示すように、タンク装置３０は、便器本体２へ供給する洗浄水Ｗを貯留するタンク本体３１と、タンク本体３１の底部３２に形成された流出口３３と、タンク本体３１の流出口３３と便器本体２の流入口６との間に配設される弾性体のパッキン３４と、を備えている。
【００２２】
タンク本体３１の底部３２の底面には、流出口３３の周囲において、タンク本体３１の底面から上方へ向けて凹む凹部３２ａが形成されている。この凹部３２ａには、便器本体２の後方側の上面にタンク本体３１が設置された状態において、パッキン３４が配設される。これにより、タンク本体３１の重みによってパッキン３４が圧縮され、タンク本体３１の流出口３３と便器本体２の流入口６との間をシールして、パッキン３４は水密性を発揮する。
【００２３】
＜作用効果＞
つぎに、上述した本発明の一実施形態によるタンク装置３０における作用効果について説明する。
【００２４】
本発明の一実施形態によるタンク装置３０によれば、便器本体２へ供給する洗浄水Ｗを貯留するタンク本体３１と、タンク本体３１の底部３２に形成された流出口３３と、タンク本体３１の流出口３３と便器本体２の流入口６との間に配設される弾性体のパッキン３４と、を備えており、タンク本体３１は、タンク本体３１の底面の流出口３３の周囲において、タンク本体３１の底面から上方へ向けて凹む凹部３２ａであって、パッキン３４が配設される凹部３２ａを有する。
これにより、タンク本体３１と便器本体２との間に突起部を設けることなく、便器本体２の流入口６とタンク本体３１の流出口３３との間をシールするパッキン３４の圧縮代を凹部３２ａによって管理することができる。したがって、タンク本体３１の高さ位置を高くしたり、タンク本体３１と便器本体２との隙間を大きくしたりしなくてよく、意匠性を損なうことを抑制することができる。
【００２５】
前述した各実施の形態が備える各要素は、技術的に可能な限りにおいて組み合わせることができ、これらを組み合わせたものも本発明の特徴を含む限り本発明の範囲に包含される。
【符号の説明】
【００２６】
１        水洗大便器
２        便器本体
６        流入口
８        ボウル部
１０      リム後方導水路
１２      溜水部
１４      排水トラップ管路
１４ａ    入口
１４ｂ    後端
１６      汚物受け面
１８      リム部
２０      リム通水路
２２      リム垂下壁部
２４      リム通水路底面
２６      スリット開口部
３０      タンク装置
３１      タンク本体
３２      底部
３２ａ    凹部
３３      流出口
３４      パッキン
３５      スイッチ
３７      排水弁装置
【図１】
2019090193.tif 000003
【図２】
2019090193.tif 000004
【図３】
2019090193.tif 000005
【図４】
2019090193.tif 000006